(57)【特許請求の範囲】
【請求項１】
取付溝が開口して形成され、かつ係止部が形成されたブラケットと、
電線を挿入可能な電線挿入孔が貫通して形成され、前記ブラケットの前記取付溝に挿入される電線保持具とを備える電線保持構造であって、
前記電線保持具は、前記取付溝への挿入時に前記係止部を弾性的に乗り越えてこの係止部に係止可能とされる弾性係止部を有し、さらに、
前記電線保持具は、前記取付溝への挿入後に前記電線が弛緩した状態で配置される初期位置と、前記電線が前記初期位置からの引っ張りに起因して前記取付溝の開口側に変位させられることにより、前記弾性係止部が前記係止部に押し付けられてこの係止部との係止力を高める形態に変形させられる保持位置とに、変位可能とされ、
前記ブラケットの両端部には、一対の立上片が立ち上げ形成され、前記取付溝が、前記両立上片間に形成され、かつ前記係止部が、前記両立上片から外側に突出して形成され、さらに、
前記電線保持具には、前記立上片の先端部が挿入される挿入凹部が形成され、かつ前記挿入凹部の外側に、前記弾性係止部が形成されていることを特徴とする電線保持構造。
【請求項２】
前記係止部が、前記電線保持具の前記取付溝への挿入方向に沿って傾斜することで前記電線保持具の誘い込みをなす誘導面を有していることを特徴とする請求項１記載の電線保持構造。
【発明の詳細な説明】
【技術分野】
【０００１】
本発明は、電線保持構造に関する。
【背景技術】
【０００２】
特許文献１には、従来の電線保持具（同文献中、樹脂成型品と呼称）が開示されている。このものは、ゴム製であってその全体が撓み可能な形態とされ、電線を挿入可能な電線挿入孔を有している。そして、電線保持具はブラケット（同文献中、Ｙ字切り欠きの金具と呼称）に装着される。ブラケットの上端には取付溝が開口して形成され、この取付溝に電線保持具が挿入される。取付溝に挿入された電線保持具は、取付溝の溝面に弾性的に密着させられ、その弾性復元力によって取付溝からの抜けが規制されるようになっている。
【先行技術文献】
【特許文献】
【０００３】
【特許文献１】特開２００９−１６６７０２号公報
【発明の概要】
【発明が解決しようとする課題】
【０００４】
ところで、上記の場合、弾性復元力を高めるべく電線保持具の撓み代を小さくすると、取付溝への挿入過程で電線保持具と取付溝の溝面との間の摺動抵抗が過大になり、作業負担が大きくなるという事情がある。これに対し、電線保持具の撓み代を大きくすると、取付溝への挿入後に電線保持具のブラケットへの保持力が低下するため、電線保持具が取付溝から抜け出るおそれがある。
【０００５】
本発明は上記のような事情に基づいて完成されたものであって、取付溝への挿入過程における挿入力は小さく、取付溝への挿入後は高い保持力を有する電線保持構造を提供することを目的とする。
【課題を解決するための手段】
【０００６】
上記の目的を達成するための手段として、請求項１の発明は、取付溝が開口して形成され、かつ係止部が形成されたブラケットと、電線を挿入可能な電線挿入孔が貫通して形成され、前記ブラケットの前記取付溝に挿入される電線保持具とを備える電線保持構造であって、前記電線保持具は、前記取付溝への挿入時に前記係止部を弾性的に乗り越えてこの係止部に係止可能とされる弾性係止部を有し、さらに、前記電線保持具は、前記取付溝への挿入後に前記電線が弛緩した状態で配置される初期位置と、前記電線が前記初期位置からの引っ張りに起因して前記取付溝の開口側に変位させられることにより、前記弾性係止部が前記係止部に押し付けられてこの係止部との係止力を高める形態に変形させられる保持位置とに、変位可能とされ、前記ブラケットの両端部には、一対の立上片が立ち上げ形成され、前記取付溝が、前記両立上片間に形成され、かつ前記係止部が、前記両立上片から外側に突出して形成され、さらに、前記電線保持具には、前記立上片の先端部が挿入される挿入凹部が形成され、かつ前記挿入凹部の外側に、前記弾性係止部が形成されているところに特徴を有する。
【０００７】
請求項２の発明は、請求項１に記載のものにおいて、前記係止部が、前記電線保持具の前記取付溝への挿入方向に沿って傾斜することで前記電線保持具の誘い込みをなす誘導面を有しているところに特徴を有する。
【発明の効果】
【０００８】
＜請求項１の発明＞
電線保持具が取付溝に挿入された後、電線を引っ張ると、電線保持具が待機位置から保持位置に移動させられ、これによって弾性係止部がブラケットの係止部に押し付けられてこの係止部との係止力を高める形態に変形させられるため、電線保持具の保持力を高く確保することができる。一方、電線保持具の取付溝への挿入過程で弾性係止部が係止部を乗り越える際には弾性係止部と係止部との間の摺動抵抗を小さくできるため、電線保持具の挿入力を低くできる。また、係止部が両立上片から外側に突出して形成され、電線保持具の挿入凹部の外側に弾性係止部が形成されているため、電線保持具が保持位置に変位させられると、係止部の根元に弾性係止部が食い込むように係止される。その結果、取付溝内における電線保持具の保持信頼性が高められる。
【０００９】
＜請求項２の発明＞
係止部が電線保持具の取付溝への挿入方向に沿って傾斜する誘導面を有し、誘導面によって電線保持具の取付溝への挿入案内がなされるため、電線保持具の挿入動作の円滑性が確保される。
【図面の簡単な説明】
【００１０】
【図１】参考例１に係る電線保持構造の分解斜視図である。
【図２】電線保持構造の斜視図である。
【図３】電線保持具の側面図である。
【図４】電線保持具の平面図である。
【図５】電線保持具の断面図である。
【図６】ブラケットの正面図である。
【図７】電線保持具が初期位置にある場合の電線保持構造の要部破断正面図である。
【図８】電線保持具が保持位置にある場合の電線保持構造の要部破断正面図である。
【図９】参考例２に係る電線保持構造の分解斜視図である。
【図１０】電線保持具が初期位置にある場合の電線保持構造の要部破断正面図である。
【図１１】電線保持具が保持位置にある場合の電線保持構造の要部破断正面図である。
【図１２】参考例３に係る電線保持具の断面図である。
【図１３】本発明の実施形態１に係る電線保持具の斜視図である。
【図１４】電線保持具が初期位置にある場合の電線保持構造の要部破断正面図である。
【図１５】電線保持具が保持位置にある場合の電線保持構造の要部破断正面図である。
【図１６】参考例４に係る電線保持構造の要部破断正面図である。
【図１７】参考例５に係る電線保持構造の要部破断正面図である。
【発明を実施するための形態】
【００１１】
＜参考例１＞
参考例１を図１ないし図８によって説明する。参考例１に係る電線保持構造は、自動車に装備されたＡＢＳ（アンチロックブレーキシステム）の車輪速センサから延びる電線６０を保持するための構造を例示するものであって、電線保持具１０とブラケット４０とを備えている。
【００１２】
ブラケット４０は金属製の板材であって、図１に示すように、その上端に取付溝４１が開口して形成されている。ブラケット４０の取付溝４１には上方から電線保持具１０が挿入される。取付溝４１の開口側の幅方向両側縁には一対の係止部４２が内向きに突出して形成されている。取付溝４１の開口側の溝幅は、両係止部４２によって奥側よりも狭められている。
【００１３】
図６に示すように、両係止部４２の上面は、高さ方向（取付溝４１の深さ方向でかつ電線保持具１０の取付溝４１への挿入方向）に沿うようにして高さ方向に対し緩い傾斜角をもって傾斜する誘導面４３とされている。電線保持具１０は、誘導面４３を摺動した後、取付溝４１に挿入されるようになっている。また、両係止部４２の下面は、幅方向（電線保持具１０の取付溝４１への挿入方向と直交する方向）に沿うようにして幅方向に対し緩い傾斜角をもって傾斜する係止面４４とされている。電線保持具１０は、係止面４４と当接することで取付溝４１からの離脱が規制されるようになっている。なお、幅方向に対する係止面４４の傾斜角は、高さ方向に対する誘導面４３の傾斜角よりも小さくされている。
【００１４】
電線保持具１０はゴム製であって、図１に示すように、その中心から外れた位置となる下部に、円形の電線挿入孔１１が前後に貫通して形成されている。電線挿入孔１１には電線６０が挿入され、挿入された電線６０はその外周面が電線挿入孔１１の内周面に密着することで電線保持具１０に保持される。電線保持具１０の上面は略水平なフラット面１２とされ、電線保持具１０の外周面には両端がフラット面１２に開口する断面略Ｕ字形の凹溝１３が周方向に形成されている。  
【００１５】
そして、電線保持具１０は、図３及び図４に示すように、前後両面がほぼ平坦な扁平ブロック状をなし、挿入本体部１４と、挿入本体部１４を挟んだ前後両側に一体に連なる一対の対向板部１５とを有している。両対向板部１５の対向面と挿入本体部１４の外周面との間には、上記凹溝１３が区画され、取付溝４１への挿入時には、凹溝１３が取付溝４１の溝縁に嵌着されるようになっている。
【００１６】
挿入本体部１４は、取付溝４１内に挿入される部分であって、取付溝４１に対応する断面形状を有している。両対向板部１５は、挿入本体部１４よりも一回り大きくされ、取付溝４１への挿入時には取付溝４１の前後両開口を覆うように配置される。両対向板部１５の上側の対向面には、左右一対（幅方向に一対）ずつの挟持リブ１６が高さ方向に延出して形成されている。両対向板部１５の挟持リブ１６間には、ブラケット４０が板厚方向に弾性的に挟持可能とされている。
【００１７】
図５に示すように、挿入本体部１４の上側の外周面（凹溝１３の上側の溝面）には、左右一対の被係止部１７が凹み形成されている。両被係止部１７の内上面は、上方へ向けて拡開する斜面１８とされ、両被係止部１７の内下面は、幅方向に沿って緩く傾斜する被係止面１９とされている。取付溝４１への挿入時には、被係止部１７内に係止部４２が嵌合され、これによって斜面１８が誘導面４３と対向し、かつ被係止面１９が係止面４４と対向するようになっている。
【００１８】
さて、電線保持具１０には、左右一対の貫通孔２１が形成され、さらに両貫通孔２１の外側に、左右一対の弾性係止部２２が形成されている。両貫通孔２１は、挿入本体部１４と両対向板部１５をいずれも前後方向に貫通する形態とされ、電線挿入孔１１の直上方に位置する高さ方向の軸芯部２３を挟んだ幅方向両側に対をなして配置されている。両弾性係止部２２は、電線保持具１０の両側縁に沿って高さ方向に延び、その延び方向（高さ方向）の両端を固定端とする両持ち梁状をなしている。そして、両弾性係止部２２は、両貫通孔２１の孔幅を狭める内向きに撓み変形可能とされている。図５に示すように、挿入本体部１４では、両弾性係止部２２の上縁が被係止部１７の被係止面１９で区画されることにより、両弾性係止部２２の太さ（幅寸法）が全長に亘ってほぼ均一とされている。
【００１９】
次に、ブラケット４０の取付溝４１に電線保持具１０を挿入する際の具体的な動作について説明する。
図１から図２にかけて示すように、ブラケット４０の取付溝４１に上方から電線保持具１０を挿入する。挿入の過程では、挿入本体部１４の弾性係止部２２の外周面が係止部４２の誘導面４３を摺動し、これによって弾性係止部２２がその両固定端を支点として内向きに撓み変形させられる。したがって、挿入本体部１４と係止部４２との間に発生する摺動抵抗が弾性係止部２２の撓み動作によって緩和される。弾性係止部２２が係止部４２を乗り越えると、弾性係止部２２が弾性的に復帰する向きに変位させられ、それに伴って被係止部１７内に係止部４２が嵌り込む。このとき、図７に示すように、被係止部１７の斜面１８は係止部４２の誘導面４３にほぼ面接触状態で当接する。
【００２０】
こうして電線保持具１０が取付溝４１内に挿入された直後の状態では、同じく図７に示すように、電線保持具１０の電線挿入孔１１に挿入された電線６０が取付溝４１の高さ方向中央よりも溝底側（奥側）に弛緩した状態で配置される。また、弾性係止部２２が実質的に自然状態に復帰して、弾性係止部２２の被係止面１９と係止部４２の係止面４４との間に隙間があけられる。この状態は、電線保持具１０の初期位置に相当するものである。
【００２１】
続いて、電線６０を引っ張って緊張させると、図８に示すように、電線６０が初期位置よりも上方（取付溝４１の開口側）へ変位させられ、それに伴い挿入本体部１４が取付溝４１の溝底から浮き上がる。さらに電線６０が上方へ変位させられると、弾性係止部２２の被係止面１９が係止部４２の係止面４４に緊密に押し当てられて、弾性係止部２２が係止部４２の係止面４４との係止代（係止力）を上記乗り越え時よりも増加させる形態に変形させられる。この状態は、電線保持具１０の保持位置に相当するものである。保持位置では、弾性係止部２２はその弾性復元力によって係止部４２と緊密に係止し合う。このため、電線保持具１０がブラケット４０にしっかり保持されることとなる。
【００２２】
以上説明したように、参考例１によれば、電線保持具１０が取付溝４１に挿入された後、電線６０を引っ張ると、電線保持具１０が取付溝４１内を待機位置から保持位置に移動させられ、これによって弾性係止部２２が取付溝４１の係止部４２に押し付けられて係止部４２との係止力を高める形態に変形させられるため、電線保持具１０の保持力を高く確保することができる。一方、取付溝４１への挿入過程で弾性係止部２２が係止部４２を乗り越える際には、弾性係止部２２の撓み動作によって、弾性係止部２２と係止部４２との間の摺動抵抗を小さくできるため、電線保持具１０の挿入力を低くできる。
【００２３】
また、弾性係止部２２が取付溝４１への挿入方向両端を固定端とする両持ち梁状に形成されているため、電線保持具１０の保持力をより高くすることができる。また、係止部４２が取付溝４１の開口側の幅方向両側縁に対をなして形成され、弾性係止部２２が電線保持具１０の幅方向両側縁に対をなして形成されているため、取付溝４１への挿入過程で、電線保持具１０の姿勢が幅方向に傾くのが規制される。
【００２４】
さらに、係止部４２が取付溝４１への挿入方向に沿って傾斜する誘導面４３を有し、誘導面４３によって電線保持具１０の取付溝４１への挿入案内がなされるため、電線保持具１０の挿入動作の円滑性が確保される。
【００２５】
さらにまた、係止部４２が取付溝４１の溝面に形成されているため、電線保持具１０のうち取付溝４１内に挿入される部分に弾性係止部２２を形成することができ、電線保持具１０の構成を比較的簡素にすることができる。しかも、係止部４２が取付溝４１の開口側の溝面に形成されているため、電線保持具１０において係止部４２によって係止される係止位置と取付溝４１の溝底側の底面位置（下端）との間の高さ寸法を大きく確保することができる。その結果、取付溝４１内における電線保持具１０の保持力をより高くすることができる。
【００２６】
＜参考例２＞
参考例２を図９ないし図１１によって説明する。
ブラケット４０Ａは金属製の板材であって、図９に示すように、側縁に略矩形状の取付溝４１Ａが開口して形成されている。取付溝４１Ａの開口側の高さ方向両側縁には、一対の係止部４２Ａが内向きに突出して形成されている。両係止部４２Ａは、矩形板状をなし、取付溝４１Ａの開口幅を狭めるように配置されている。図１０に示すように、両係止部４２Ａの奥面は係止面４４Ａとされ、ほぼ高さ方向に沿って配置されている。
【００２７】
電線保持具１０Ａはゴム製であって、前後両面がほぼ平坦な扁平ブロック状をなし、挿入本体部１４Ａと、挿入本体部１４Ａを挟んだ前後両端に一体に連なる一対の対向板部１５Ａとを有している。挿入本体部１４Ａは、断面略Ｕ字形をなし、取付溝４１Ａに遊嵌状態で挿入される。また、両対向板部１５Ａは、挿入本体部１４Ａよりも一回り大きい円板状をなし、取付溝４１Ａの前後両開口を覆うように配置される。そして、電線保持具１０Ａの中央には、電線６０を挿入可能な電線挿入孔１１Ａが挿入本体部１４Ａ及び両対向板部１５Ａのそれぞれを前後方向に貫通して形成されている。
【００２８】
挿入本体部１４Ａは、同じく図１０に示すように、高さ方向に延びる基部２５と、基部２５の高さ方向両端から側方（取付溝４１Ａの開口側）に突出する一対の弾性係止部２２Ａとを有している。基部２５はその前後で両対向板部１５Ａに連結され、両弾性係止部２２Ａはその前後で両対向板部１５Ａとは非連結とされている。このため、両弾性係止部２２Ａは基部２５を支点として高さ方向に撓み変形可能とされている。そして、両弾性係止部２２Ａの突出端は自由端とされ、ここに係止部４２Ａの係止面４４Ａに係止可能な被係止面１９Ａが高さ方向に形成されている。参考例２の場合、両弾性係止部２２Ａは固定端側から自由端側にかけて次第に厚みを減じる形態とされている。
【００２９】
ここで、電線保持具１０Ａがブラケット４０Ａの取付溝４１Ａに挿入される過程では、弾性係止部２２Ａが係止部４２Ａに摺動して撓み変形させられる。電線保持具１０Ａがブラケット４０Ａの取付溝４１Ａ内に挿入されて初期位置に至ると、電線６０が取付溝４１Ａの溝底側（奥側）に弛緩した状態で配置される。また、図１０に示すように、弾性係止部２２Ａが弾性的に復帰させられ、弾性係止部２２Ａの被係止面１９Ａと係止部４２Ａの係止面４４Ａとの間には隙間があけられる。
【００３０】
次いで、電線６０を引っ張って緊張させると、図１１に示すように、電線６０が取付溝４１Ａの開口側へ変位させられ、それに追従して電線保持具１０Ａも取付溝４１Ａの開口側へ変位させられる。すると、両弾性係止部２２Ａの被係止面１９Ａが両係止部４２Ａの係止面４４Ａに押し当てられ、両弾性係止部２２Ａが弾性的に拡開変形させられる。その結果、両弾性係止部２２Ａの自由端が取付溝４１Ａの開口側の両角部４９に緊密に当接させられ、弾性係止部２２Ａと係止部４２Ａとの係止力が高められる。参考例２によれば、弾性係止部２２Ａが取付溝４１Ａへの挿入方向後端を自由端とする片持ち梁状に形成されているため、電線保持具１０Ａの挿入力をより低くすることができる。
【００３１】
＜参考例３＞
参考例３を図１２によって説明する。参考例３では、両対向板部１５Ｂ、ブラケット４０Ａの取付溝４１Ａ、及び電線挿入孔１１Ｂが参考例２における対応部位と同様の形態とされるが、挿入本体部１４Ｂが参考例２とは異なる形態とされている。
【００３２】
挿入本体部１４Ｂは、断面略Ｖ字形の基部２５Ｂと、基部２５Ｂの高さ方向両端から側方（取付溝４１Ａの開口側）に突出する一対の弾性係止部２２Ｂとを有している。両弾性係止部２２Ｂは、全長に亘ってほぼ均一な太さを有し、基部２５Ｂを支点として高さ方向に撓み変形可能とされている。そして、基部２５Ｂには、取付溝４１Ａへの挿入方向に沿って傾斜する一対の傾斜面２９が形成されている。両傾斜面２９は、挿入本体部１４Ｂの高さ方向中央に形成された先端部２８から高さ方向両端側へ向け取付溝４１Ａの挿入方向に沿って後退する形態とされている。
【００３３】
ここで、電線保持具１０Ｂがブラケット４０の取付溝４１Ａ内に挿入される過程では、係止部４２Ａの内端が傾斜面２９に摺動し、これによって電線保持具１０Ｂの撓み動作が円滑になされる。したがって、参考例３によれば、電線保持具１０Ｂの挿入作業性をより向上させることができる。
【００３４】
＜実施形態１＞
本発明の実施形態１を図１３ないし図１５によって説明する。実施形態１に係る電線保持構造は、ブラケット４０Ｃ及び電線保持具１０Ｃを備えている。
ブラケット４０Ｃは、金属製の板材からなり、図１４に示すように、その上部に一対の立上片４５が立ち上げ形成されている。両立上片４５の間には断面Ｕ字形の取付溝４１Ｃが上方に開口して形成されている。また、両立上片４５には、一対の係止部４２Ｃが外側（取付溝４１Ｃとは反対側）に突出して形成されている。このように、実施形態１では、両係止部４２Ｃが取付溝４１Ｃ側に突出していないため、取付溝４１Ｃの開口幅が両係止部４２Ｃによって狭くなることはない。なお、取付溝４１Ｃの溝幅は、開口端から高さ方向中間部にかけてほぼ一定幅とされている。
【００３５】
両係止部４２Ｃの上面は、突出端側に向けて下り勾配となる誘導面４３Ｃとされ、両係止部４２Ｃの下面は、幅方向にほぼ水平な係止面４４Ｃとされている。  
【００３６】
電線保持具１０Ｃは、ゴム製であって、図１３及び図１４に示すように、取付溝４１Ｃ内に挿入される挿入部２４と、挿入部２４を挟んだ前後両端に一体に連なる一対の対向板部１５Ｃとを有している。電線保持具１０Ｃのほぼ中央には、電線６０を挿入可能な円形の電線挿入孔１１Ｃが形成されている。電線挿入孔１１Ｃは、挿入部２４及び対向板部１５Ｃのそれぞれを前後方向に貫通する形態とされている。
【００３７】
両対向板部１５Ｃは、挿入部２４よりも一回り大きい円板状をなし、取付溝４１Ｃの前後両開口を覆うように配置される。挿入部２４は、略矩形ブロック状の挿入本体部１４Ｃと、挿入本体部１４Ｃに切り込み形成された挿入凹部２６とからなる。挿入凹部２６は、ブラケット４０Ｃの上部と対応する形状であって、両立上片４５と対応する一対の立上片受け部２７と、両立上片受け部２７の深さ方向中間部から外側に凹む一対の係止受け部２８とからなる。そして、挿入凹部２６は、挿入本体部１４Ｃの下端に開口している。
【００３８】
図１４に示すように、挿入本体部１４Ｃのうち、両立上片受け部２７の外側で、かつ両係止受け部２８の下側（開口側）には、一対の弾性係止部２２Ｃが形成されている。両弾性係止部２２Ｃの立上片受け部２７側の開口端には、テーパ状の一対の斜面３１が切り欠き形成されている。また、両弾性係止部２２Ｃの上端は、係止受け部２８の下端を区画する被係止面１９Ｃとされ、幅方向にほぼ水平に配置されている。
【００３９】
電線保持具１０Ｃがブラケット４０Ｃの取付溝４１Ｃ内に挿入される過程では、係止部４２Ｃの誘導面４３Ｃが弾性係止部２２Ｃの斜面３１を摺動して、弾性係止部２２Ｃが外側に撓み変形させられる。そして、図１４に示すように、電線保持具１０Ｃがブラケット４０Ｃの取付溝４１Ｃ内に挿入されて初期位置に至ると、弾性係止部２２Ｃが弾性的に復帰して、立上片受け部２７内に立上片４５が嵌合されるとともに、係止受け部２８内に係止部４２Ｃが嵌合される。また、初期位置では、電線６０が弛緩した状態で配置される。
【００４０】
次いで、電線６０を引っ張って緊張させると、図１５に示すように、電線６０が取付溝４１Ｃの開口側（図示上方）へ変位させられ、それに追従して電線保持具１０Ｃも取付溝４１Ｃの開口側へ変位させられる。これにより、弾性係止部２２Ｃが弾性的に変形させられ、係止部４２Ｃの係止面４４Ｃの根元に、弾性係止部２２Ｃの被係止面１９Ｃが深く食い込むように係止される。したがって、実施形態１によれば、弾性係止部２２Ｃと係止部４２Ｃとの係止力が高められ、取付溝４１Ｃから電線保持具１０Ｃが抜け出るのが確実に防止される。
【００４１】
＜参考例４＞
参考例４を図１６によって説明する。参考例４に係る電線保持構造は、ブラケット４０Ｄ及び電線保持具１０Ｄを備えている。
ブラケット４０Ｄは、金属製の板材からなり、その上端に取付溝４１Ｄが開口して形成されている。取付溝４１Ｄの開口側の両側溝縁には一対の係止部４２Ｄが内側に突出して形成されている。両係止部４２Ｄの上面は、突出端側に向けて下り勾配となる誘導面４３Ｄとされ、両係止部４２Ｄの下面は幅方向にほぼ水平な係止面４４Ｄとされている。ブラケット４０Ｄの構造は、参考例１と概ね同様である。
【００４２】
電線保持具１０Ｄは、ゴム製であって、ブロック状の挿入本体部１４Ｄを有している。挿入本体部１４Ｄには、電線６０を挿入可能な円形の電線挿入孔１１Ｄが貫通して形成されている。また、挿入本体部１４Ｄの下端部には、参考例３と同様に、取付溝４１Ｄへの挿入方向に沿って傾斜する一対の傾斜面２９Ｄが形成されている。両傾斜面２９Ｄは、挿入本体部１４Ｄの下端の幅方向中央から両側縁にかけてテーパ状に拡開する形態とされている。端的には、挿入本体部１４Ｄの下端部は、取付溝４１Ｄへの挿入方向に先細り状の形態とされている。
【００４３】
挿入本体部１４Ｄの上端両側縁には、一対の肩部３３が切り欠き形成されている。両肩部３３は、断面Ｌ字形をなし、その下側に、一対の弾性係止部２２Ｄが形成されている。両弾性係止部２２Ｄの上端は、両肩部３３の下端を区画する被係止面１９Ｄとされ、幅方向にほぼ水平に配置されている。なお、挿入本体部１４Ｄは、電線挿入孔１１Ｄを除いて中実とされている。
【００４４】
電線保持具１０Ｄがブラケット４０Ｄの取付溝４１Ｄ内に挿入される初期の段階では、挿入本体部１４Ｄの傾斜面２９Ｄが取付溝４１Ｄへの挿入方向に後退していることの起因し、挿入本体部１４Ｄが係止部４２Ｄと干渉するのが回避される。取付溝４１Ｄへの挿入中盤段階では、挿入本体部１４Ｄの傾斜面２９Ｄが係止部４２Ｄの誘導面４３Ｄを摺動して、弾性係止部２２Ｄが内側に撓み変形させられる。電線保持具１０Ｄが取付溝４１Ｄ内に挿入されて初期位置に至ると、弾性係止部２２Ｄが弾性的に復帰して、肩部３３内に係止部４２Ｄが嵌合する。それと同時に、弾性係止部２２Ｄの被係止面１９Ｄが係止部４２Ｄの係止面４４Ｄに下方から当接可能に配置される。この状態で電線６０を引っ張ると、電線保持具１０Ｄが取付溝４１Ｄの開口側へ変位させられ、弾性係止部２２Ｄの被係止面１９Ｄが係止部４２Ｄの係止面４４Ｄに緊密に当接させられる。
【００４５】
参考例４によれば、電線保持具１０Ｄの下端部（取付溝４１Ｄへの挿入方向先端部）が先細り状に形成されているため、電線保持具１０Ｄが取付溝４１Ｄ内に挿入される過程で取付溝４１Ｄの溝面（係止部４２Ｄを含む）と接触することに起因する摺動抵抗が小さく抑えられる。その結果、取付溝４１Ｄ内に電線保持具１０Ｄを挿入する際の操作性が良好となり、作業負担が軽減される。
【００４６】
＜参考例５＞
参考例５を図１７によって説明する。参考例５に係る電線保持構造は、ブラケット４０Ｅ及び電線保持具１０Ｅを備える。
ブラケット４０Ｅは、金属製の板材からなり、その上端に取付溝４１Ｅが開口して形成されている。取付溝４１Ｅの深さ方向中間部の溝面における両側縁には、一対の係止部４２Ｅが内側に突出して形成されている。両係止部４２Ｅの上面は、突出端側に向けて下り勾配となる誘導面４３Ｅとされ、両係止部４２Ｅの下面は幅方向にほぼ水平な係止面４４Ｅとされている。
【００４７】
電線保持具１０Ｅは、ゴム製であって、ブロック状の挿入本体部１４Ｅを有している。挿入本体部１４Ｅには、電線６０を挿入可能な円形の電線挿入孔１１Ｅが貫通して形成されている。挿入本体部１４Ｅの高さ方向中間部の両側縁には、一対の嵌合受け部３６が凹み形成されている。両嵌合受け部３６は、係止部４２Ｅと対応する断面爪状の形状をなしている。挿入本体部１４Ｅにおける両嵌合受け部３６の下側には、一対の弾性係止部２２Ｅが形成されている。両弾性係止部２２Ｅの上端は、両嵌合受け部３６の下端を区画する被係止面１９Ｅとされ、幅方向にほぼ水平に配置されている。なお、挿入本体部１４Ｅは、電線挿入孔１１Ｅを除いて中実とされている。
【００４８】
電線保持具１０Ｅがブラケット４０Ｅの取付溝４１Ｅ内に挿入される初期の段階では、係止部４２Ｅが取付溝４１Ｅの深さ方向中間部に位置していることに起因し、挿入本体部１４Ｅが係止部４２Ｅと干渉するのが回避される。挿入過程の中盤では、挿入本体部１４Ｅの下端部が係止部４２Ｅの誘導面４３Ｅを摺動して、弾性係止部２２Ｅが内側に撓み変形させられる。電線保持具１０Ｅが取付溝４１Ｅ内に挿入されて初期位置に至ると、弾性係止部２２Ｅが弾性的に復帰して、嵌合受け部３６内に係止部４２Ｅが嵌合するとともに、弾性係止部２２Ｅの被係止面１９Ｅが係止部４２Ｅの係止面４４Ｅに下方から当接可能に配置される。この状態で電線６０を引っ張ると、電線保持具１０Ｅが取付溝４１Ｅの開口側へ変位させられ、弾性係止部２２Ｅの被係止面１９Ｅが係止部４２Ｅの係止面４４Ｅに緊密に当接させられる。
【００４９】
参考例５によれば、係止部４２Ｅが取付溝４１Ｅの深さ方向中間部の溝面に形成されているため、電線保持具１０Ｅが取付溝４１Ｅ内に挿入される過程で係止部４２Ｅと摺接する領域が小さく抑えられる。その結果、取付溝４１Ｅ内に電線保持具１０Ｅを挿入する際の操作性が良好となり、作業負担が軽減される。      
【００５０】
＜他の実施形態＞
本発明は上記記述及び図面によって説明した実施形態に限定されるものではなく、例えば次のような実施形態も本発明の技術的範囲に含まれる。
（１）初期位置では、電線が取付溝の開口寄りの位置に配置されていてもよい。要は、初期位置では、電線が保持位置よりも取付溝の奥寄りの位置に配置されていればよい。
（２）初期位置では、両弾性係止部の被係止面と係止部の係止面とが互いに当接し合うものであってもよい。
（３）本発明は、電線を保持する電線保持具と、この電線保持具が装着されるブラケットとを備える電線保持構造に広く適用可能である。
なお、係止部が取付溝の深さ方向中間部の溝面に配置される参考例５の構成は、参考例１〜４にも適用可能である。
【符号の説明】
【００５１】
１０、１０Ａ、１０Ｂ、１０Ｃ、１０Ｄ、１０Ｅ…電線保持具
１１、１１Ａ、１１Ｂ、１１Ｃ、１１Ｄ、１１Ｅ…電線挿入孔
２２、２２Ａ、２２Ｂ、２２Ｃ、２２Ｄ、２２Ｅ…弾性係止部
２９、２９Ｄ…傾斜面
４０、４０Ａ、４０Ｃ、４０Ｄ、４０Ｅ…ブラケット
４１、４１Ａ、４１Ｃ、４１Ｄ、４１Ｅ…取付溝
４２、４２Ａ、４２Ｃ、４２Ｄ、４２Ｅ…係止部
４３、４３Ｃ、４３Ｄ、４３Ｅ…誘導面
４５…立上片
６０…電線
【図１】
0005699814.tif 000002
【図２】
0005699814.tif 000003
【図３】
0005699814.tif 000004
【図４】
0005699814.tif 000005
【図５】
0005699814.tif 000006
【図６】
0005699814.tif 000007
【図７】
0005699814.tif 000008
【図８】
0005699814.tif 000009
【図９】
0005699814.tif 000010
【図１０】
0005699814.tif 000011
【図１１】
0005699814.tif 000012
【図１２】
0005699814.tif 000013
【図１３】
0005699814.tif 000014
【図１４】
0005699814.tif 000015
【図１５】
0005699814.tif 000016
【図１６】
0005699814.tif 000017
【図１７】
0005699814.tif 000018